(57)【特許請求の範囲】
【請求項１】
手洗器又は洗面器を壁面に取り付けた後、この手洗器又は洗面器の下側にキャビネットを設置するキャビネットの取付方法であって、
前記手洗器又は洗面器の下面には段部が設けられており、前記キャビネットを一旦壁面に当接させた後、上方に移動させることにより該キャビネット上端を段部に係合させるキャビネットの取付方法において、
壁面に上ブラケット及び下ブラケットを取り付け、これらの上ブラケット及び下ブラケットに対し該キャビネットを連結する方法であって、
先に上ブラケットを壁面に固定し、下ブラケット付きのキャビネットを該上ブラケットに取り付け、下ブラケットの位置出しを行った後、キャビネットを上ブラケットから取り外し、
キャビネットから下ブラケットを取り外し、該下ブラケットを壁面に取り付け、
その後、該上ブラケット及び下ブラケットに対しキャビネットを取り付けるようにしたことを特徴とするキャビネットの取付方法。
【請求項２】
請求項１において、前記上ブラケット及び下ブラケットは、壁面に当接する背板部と１対の前方延出部とを有したコ字形状のものであり、この前方延出部に前縁から後方に向ってスリットが設けられており、このスリットに対しキャビネット固定用部材が係合していることを特徴とするキャビネットの取付方法。
【請求項３】
請求項２において、上ブラケットのスリットは水平スリットと、この水平スリットの後端側から上方に設けられた縦スリットとからなり、
前記キャビネットの側面にはボルトが貫通し、このボルトに螺合したナットを該スリットに係合させることを特徴とするキャビネットの取付方法。
【請求項４】
請求項２において、前記キャビネットの下面から前記下ブラケットの前方延出部に重なる垂下片が垂設されており、該垂下片には前記下ブラケットの前方延出部のスリットと重なるスリットが設けられており、該下ブラケットの前方延出部と垂下片とを重ね合わせた後、これらのスリットにストッパを挿入し、該ストッパを固定することにより下ブラケットと垂下片とを連結することを特徴とするキャビネットの取付方法。
【発明の詳細な説明】
【０００１】
【発明の属する技術分野】
本発明は手洗器又は洗面器の下側にキャビネットを取り付けるキャビネットの取付方法に係り、特にキャビネットを容易に正規位置に取り付けることができ、しかもキャビネットを繰り返し着脱しても壁面に亀裂が生じることがないキャビネットの取付方法に関するものである。
【０００２】
【従来の技術】
手洗器又は洗面器を壁面に固定し、この手洗器又は洗面器の下側にキャビネットを配置して壁面に固定した構造においては、給水管、排水管や排水トラップがキャビネット内に露出することが通常であるが、見栄えが悪い。そこで、キャビネット内のスペースの前後を隔壁で区切り、排水管等を該隔壁の後側に配置することがあるが、このようにすると排水トラップのメンテナンスの度にキャビネット全体を着脱する必要がある。
【０００３】
【発明が解決しようとする課題】
このようにキャビネットを繰り返し着脱すると、キャビネットを壁面に留め付けているビスの効きが甘くなり、キャビネットを壁面に固定できなくなる。また、壁面に亀裂が生じることもある。
【０００４】
本発明は、このような問題点を解決し、キャビネットを繰り返し着脱してもキャビネットを壁面の正規位置に堅固に固定することができ、しかもこの着脱作業が容易なキャビネットの取付方法を提供することを目的とする。
【０００５】
また、本発明は、手洗器又は洗面器とキャビネットとの継目部分が目立たないキャビネットの取付方法を提供することを目的とする。
【０００６】
【課題を解決するための手段】
本発明のキャビネットの取付方法は、手洗器又は洗面器を壁面に取り付けた後、この手洗器又は洗面器の下側にキャビネットを設置するキャビネットの取付方法において、前記手洗器又は洗面器の下面には段部が設けられており、前記キャビネットを一旦壁面に当接させた後、上方に移動させることにより該キャビネット上端を段部に係合させるキャビネットの取付方法において、壁面に上ブラケット及び下ブラケットを取り付け、これらの上ブラケット及び下ブラケットに対し該キャビネットを連結する方法であって、先に上ブラケットを壁面に固定し、下ブラケット付きのキャビネットを該上ブラケットに取り付け、下ブラケットの位置出しを行った後、キャビネットを上ブラケットから取り外し、キャビネットから下ブラケットを取り外し、該下ブラケットを壁面に取り付け、その後、該上ブラケット及び下ブラケットに対しキャビネットを取り付けるようにしたことを特徴とするものである。
【０００７】
かかる本発明方法によると、手洗器又は洗面器とキャビネットとの継目が目立たないものとなる。
【００１０】
また、壁面に上下のブラケットを取り付け、このブラケットに対しキャビネットを取り付けるようにしており、このキャビネットをブラケットに対し繰り返し着脱してもキャビネットを堅固に固定できる。
【００１１】
また、この下ブラケットを壁面に取り付けるに際しては、下ブラケット付きのキャビネットを壁面に仮固定してその位置出し（例えば罫書き）しているため、下ブラケットの位置決め精度が高く、キャビネットを確実に正規位置に取り付けることができる。
【００１２】
本発明では、上ブラケット及び下ブラケットは、壁面に当接する背板部と１対の前方延出部とを有したコ字形状のものであり、この前方延出部に前縁から後方に向ってスリットを設け、このスリットを利用してキャビネットをブラケットに固定するのが好ましい。
【００１３】
例えば、上ブラケットのスリットを水平スリットと、この水平スリットの後端側から上方に設けられた縦スリットとで構成し、前記キャビネットの側面にボルトを貫通させ、このボルトに螺合したナットを該スリットを係合させる。
【００１４】
また、キャビネットの下面から前記下ブラケットの前方延出部に重なる垂下片を設け、該垂下片に下ブラケットの前方延出部のスリットと重なるスリットを設け、該下ブラケットの前方延出部と垂下片とを重ね合わせた後、これらのスリットにストッパを挿入し、該ストッパを固定することにより下ブラケットと垂下片とを連結する。
【００１５】
【発明の実施の形態】
以下、図面を参照して実施の形態について説明する。第１図は実施の形態に係るキャビネットの取付方法によって設置された手洗キャビネットの斜視図、第２図〜第５図は施工方法の説明図、第６図は第３図のＶＩ部分の説明図、第７図は第３図のＶＩＩ部分の説明図である。
【００１６】
第１図の通り、壁面１に沿ってキャビネット２が設置され、このキャビネット２の上側に手洗器３が設置されている。
【００１７】
手洗器３の上側に水栓取付用ケーシング４が設置され、該ケーシング４に水栓５が取り付けられている。キャビネット２の下側には巾木６が設けられている。
【００１８】
第２図の通り、このキャビネット２は上ブラケット１０及び下ブラケット２０を介して壁面に固定され、手洗器３はバックハンガ３０によって壁面に固定されている。キャビネット２の底面からは垂下片７が下方に突設され、この垂下片７が下ブラケット２０を介して壁面１に固定される。
【００１９】
上下のブラケット１０，２０は、それぞれ壁面１に当接する背板部１１，２１と、１対の前方延出部１２，２２とを有した平面視形状がコ字形状のものである。
【００２０】
第６図の通り、上ブラケットの前方延出部１２には、前縁から後方に向って延在するＬ形スリット１３が設けられている。符号１３ａはこのＬ形スリットのうち水平方向に延在する水平スリット、１３ｂはこの水平スリット１３ａの奥部から上方に立ち上る縦スリットを示す。
【００２１】
キャビネット２には、このＬ形スリット１３に係合するボルト１４及びナット１５が取り付けられている。このボルト１４は、キャビネット２の側面の開口に挿通されている。ナット１５は、Ｌ形スリット１３に係合する角形凸部１５ａを備えている。この角形凸部１５ａは、水平スリット１３ａ内を移動した後、縦スリット１３ｂに入り込みうる大きさのものとなっている。角形凸部１５ａがスリット１３に係合しているときにボルトを回した場合、ナット１５はボルト１４と共回りせず、ボルト１４の頭部とナット１５との間でキャビネット２の側面及び上ブラケット１０の前方延出部１２が挟みつけられる。
【００２２】
第７図の通り、下ブラケット２０の前方延出部２２にも、前縁から後方に向って水平にスリット２３が延設されている。１対の前方延出部２２の内側に前記垂下片７が配置される。
【００２３】
この垂下片７にも前縁から後方に向って水平にスリット２４が延設されている。
【００２４】
垂下片７と前方延出部２２が重なり合った状態にあっては、スリット２３，２４同士が対面し、これらのスリット２３，２４にストッパ２５の凸部２５ａが挿入される。このストッパ２５と、垂下片７及び前方延出部２２とにはボルトの挿入用の孔２６，２７，２８が設けられ、前方延出部２２の孔２８は雌ネジが切られている。ボルト２９がこれらの孔２６，２７に挿通され、雌ネジ孔２８に螺じ込まれる。
【００２５】
次に、このキャビネット２の設置施工手順について説明する。
【００２６】
第２図の通り、壁面１にバックハンガ３０と上ブラケット１０とをビス３１，３２で固定し、まず手洗器３をバックハンガ３０に掛止する。次に、下ブラケット２０を取り付けたキャビネット２を上ブラケット１０に掛止する。この場合、ボルト１４を若干緩めておき、第６図（ａ）の通りナット１５の角形凸部１５ａを水平スリット１３ａに挿入し、キャビネット２を壁面１に当接するまで水平移動させた後、キャビネット２を少し上方に持ち上げ、該キャビネット２の上端縁２ａを手洗器３の段部３ａに係合させる。この場合、キャビネット２の上端縁２ａは手洗器３の段部３ａの後側に呑み込まれる。
【００２７】
この状態では、ナット１５の角形凸部１５ａは縦スリット１３ｂに入り込んでいる。そこで、ボルト１４の頭部を摘んで回し、該ボルト１４の頭部とナット１５との間で上ブラケット１０の前方延出部１２及びキャビネット２側面部分を挟持し、キャビネット２から手を離してもキャビネット２がそのままの高さを保つようにする。第３図はこの状態を示している。
【００２８】
次に、キャビネット２から手を離し、該キャビネット２に固定されている下ブラケット２０の下縁及び側縁に沿って壁面１に罫書線（図示略）をつける。
【００２９】
しかる後、一旦ボルト１４を緩め、キャビネット２を上ブラケット１０から取り外す。また、ボルト２９を外してストッパ２５を抜き、垂下片７から下ブラケット２０を取り外す。そして、第４図の通り、この取り外した下ブラケット２０を前記罫書線に沿って壁面１にビス３３によって固定する。この第４図の状態において、手洗器３に排水管（図示略）を接続する。また、手洗器３の上に水栓５付きの水栓取付用ケーシング４を設置し、給水管（図示略）を水栓５に接続する。これらの排水管及び給水管は例えばキャビネット２内を引き回される。
【００３０】
その後、第５図の通り、キャビネット２を再び上ブラケット１０に掛止させると共に、下ブラケット２０に対し垂下片７をストッパ２５及びボルト２９によって連結する。キャビネット２を上ブラケット１０に取り付ける手順は上記と同じである。
【００３１】
下ブラケット２０に対しキャビネット２を固定するには、１対の垂下片７，７をそれぞれ下ブラケット２０の前方延出部２２，２２の内側に沿わせ、スリット２３，２４同士を合致させた後、ストッパ２５の凸部２５ａをスリット２３，２４に挿入し、ボルト２９を孔２６，２７に通し下ブラケット２０の雌ネジ孔２８に螺じ込む。
【００３２】
その後、この下ブラケットを覆うように巾木６を取り付ける。この巾木６は平面視形状がコ字形であり、先端部には下ブラケット２０の後縁角部の段部２０ａに係合する内向き部６ａが設けられている。
【００３３】
このように、このキャビネットの取付方法によると、キャビネット２の上端を段部３ａに呑み込ませるので、キャビネット２と手洗器３との継目が目立たない。また、キャビネット２を壁面１にきわめて簡単かつ迅速に取り付けることができると共に、キャビネット２を多数回着脱しても壁面１に亀裂が生じることもない。
【００３４】
なお、上記実施の形態では上下のブラケット１０，２０が別形状のものとなっているが、下ブラケットとして上ブラケットと同一形状のものを用いても良い。この場合、ブラケットの後縁角部には巾木６の内向き部６ａが係合する段部２０ａを設けておく。上記実施の形態は手洗器に対するキャビネットの取付に関するものであるが、手洗器の代わりに洗面器が採用されても良い。
【００３５】
第８図は、このようにして壁面に取り付けられたキャビネットの前面の扉４１，４２を開けた状態を示す斜視図である。
【００３６】
キャビネット２の内部は隔壁４３によって前後に区画され、隔壁４３の前側が収納スペースとなっている。４４は掃除ブラシ入れを示す。隔壁４３の後側は配管スペースとなっており、排水管及び排水トラップが引き回されると共に、排水トラップが設けられている。
【００３７】
【発明の効果】
以上の通り、本発明によると、手洗器又は洗面器とキャビネットとの継目が目立たないものとなる。また、キャビネットを繰り返し着脱してもキャビネットを壁面の正規位置に堅固に固定することができ、しかもこの着脱作業が容易である。
【図面の簡単な説明】
【図１】実施の形態に係る方法により施工されたキャビネットの取付方法の斜視図である。
【図２】実施の形態に係るキャビネットの取付方法を示す斜視図である。
【図３】実施の形態に係るキャビネットの取付方法を示す斜視図である。
【図４】実施の形態に係るキャビネットの取付方法を示す斜視図である。
【図５】実施の形態に係るキャビネットの取付方法を示す斜視図である。
【図６】（ａ）図は図３のＶＩ部分の斜視図、（ｂ）図は（ａ）図のＢ−Ｂ線部分の断面図である。
【図７】（ａ）図は図３のＶＩＩ部分の斜視図、（ｂ）図は（ａ）図のＢ−Ｂ線部分の断面図である。
【図８】実施の形態に係る方法により施工されたキャビネットの取付方法の斜視図であって、キャビネットの扉を開けた状態を示す。
【符号の説明】
１  壁面
２  キャビネット
３  手洗器
４  水栓取付用ケーシング
５  水栓
６  巾木
７  垂下片
１０  上ブラケット
２０  下ブラケット
１１，２１  背板部
１２，２２  前方延出部
１３，２３  スリット
１４  ボルト
２５  ストッパ
【図１】
0003582360.tif 000002
【図２】
0003582360.tif 000003
【図３】
0003582360.tif 000004
【図４】
0003582360.tif 000005
【図５】
0003582360.tif 000006
【図６】
0003582360.tif 000007
【図７】
0003582360.tif 000008
【図８】
0003582360.tif 000009